【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
経費精算システムと接続される情報処理システムであって、
前記情報処理システムと接続される機器から、経費精算のための複数の証明書画像が含まれる第１の画像を受信する受信手段と、
前記受信手段により受信された前記第１の画像に含まれる前記複数の証明書画像から、前記複数の証明書画像それぞれに対応する複数の第２の画像を作成する抽出手段と、
前記抽出手段により作成された前記複数の第２の画像それぞれを前記経費精算システムに登録する登録手段と、
を有する情報処理システム。
【請求項２】
前記複数の第２の画像が登録される台帳を前記経費精算システム上に作成する作成手段を有し、
前記登録手段は、
前記作成手段により作成された前記台帳上に、前記複数の第２の画像それぞれを登録する、請求項１に記載の情報処理システム。
【請求項３】
前記登録手段は、
前記経費精算システムが提供するＷｅｂＡＰＩを用いて、前記複数の第２の画像それぞれを前記経費精算システムに登録する、請求項１又は２に記載の情報処理システム。
【請求項４】
前記第１の画像は、複数の証明書を前記機器でスキャンすることにより、又は、複数の証明書を前記機器が撮像することにより作成される、請求項１乃至３の何れか一項に記載の情報処理システム。
【請求項５】
前記証明書は、領収書又はレシートである、請求項４に記載の情報処理システム。
【請求項６】
前記受信手段は、
前記機器から、前記第１の画像と、前記経費精算システムの認証に用いられる認証情報とを受信し、
前記登録手段は、
前記認証情報を用いて、前記複数の第２の画像それぞれを前記経費精算システムに登録する、請求項１乃至５の何れか一項に記載の情報処理システム。
【請求項７】
前記経費精算システムにおける認証成功に応じて発行されるトークンを記憶する第１の記憶手段を有し、
前記登録手段は、
前記第１の記憶手段に記憶された前記トークンを用いて、前記複数の第２の画像それぞれを前記経費精算システムに登録する、請求項１乃至５の何れか一項に記載の情報処理システム。
【請求項８】
前記第２の画像から所定の情報を抽出するための抽出位置が定義されたテンプレートを記憶する第２の記憶手段と、
前記第２の記憶手段に記憶された前記テンプレートを用いて、前記抽出手段により作成された前記複数の第２の画像の前記抽出位置から所定の情報を抽出する情報抽出手段と、を有し、
前記登録手段は、
前記抽出手段により作成された前記複数の第２の画像それぞれと、前記情報抽出手段により前記複数の第２の画像からそれぞれ抽出された所定の情報とを前記経費精算システムに登録する、請求項１乃至７の何れか一項に記載の情報処理システム。
【請求項９】
前記情報抽出手段は、
前記第２の記憶手段に記憶された前記テンプレートを用いて、前記抽出手段により作成された前記複数の第２の画像の前記抽出位置から、金額を示す数字情報を抽出する、請求項８に記載の情報処理システム。
【請求項１０】
前記抽出手段は、
前記証明書画像の傾きを回転させて、前記証明書画像に対応する第２の画像を作成する、請求項１に記載の情報処理システム。
【請求項１１】
前記抽出手段は、
前記複数の証明書画像の傾きをそれぞれ回転させて、前記複数の証明書画像に対応する複数の第２の画像それぞれを作成する、請求項１に記載の情報処理システム。
【請求項１２】
前記複数の証明書画像にＯＣＲ処理を行うＯＣＲ処理手段を有し、
前記登録手段は、
前記複数の第２の画像と前記ＯＣＲ処理手段で処理されたＯＣＲ処理結果とをそれぞれ登録する、請求項１に記載の情報処理システム。
【請求項１３】
前記作成手段により作成された前記台帳の一覧を表示する表示手段と、
前記表示手段で表示された前記台帳の一覧から１の台帳の選択を受け付ける台帳選択受付手段と、
前記台帳選択受付手段で受け付けた台帳に対応する前記証明書画像の編集を受け付ける編集受付手段と、を有する請求項２に記載の情報処理システム。
【請求項１４】
前記第１の画像に含まれる複数の証明書画像は、互いに異なる証明書画像である、請求項１に記載の情報処理システム。
【請求項１５】
前記抽出手段は、
前記第１の画像に含まれる前記複数の証明書画像を一度の操作でそれぞれ抽出して、前記複数の証明書画像に対応する複数の第２の画像それぞれを作成する、請求項１に記載の情報処理システム。
【請求項１６】
経費精算システムと接続される情報処理装置であって、
前記情報処理装置と接続される機器から、経費精算のための複数の証明書画像が含まれる第１の画像を受信する受信手段と、
前記受信手段により受信された前記第１の画像に含まれる前記複数の証明書画像から、前記複数の証明書画像それぞれに対応する複数の第２の画像を作成する抽出手段と、
前記抽出手段により作成された前記複数の第２の画像それぞれを前記経費精算システムに登録する登録手段と、
を有する情報処理装置。
【請求項１７】
画像形成装置と、該画像形成装置と接続されるサーバ装置とが含まれる情報処理システムであって、経費精算システムと接続される情報処理システムにおいて、
前記画像形成装置は、
経費精算のための複数の証明書をスキャンすることにより第１の画像を作成する画像作成手段を有し、
前記サーバ装置は、
前記画像作成手段により作成された前記第１の画像から、前記複数の証明書が表示される画像領域から、前記複数の証明書それぞれに対応する複数の第２の画像を作成する抽出手段と、
前記抽出手段により作成された前記複数の第２の画像それぞれを前記経費精算システムに登録する登録手段と、
を有する情報処理システム。
【請求項１８】
経費精算システムと接続される情報処理システムに用いられる情報処理方法であって、
前記情報処理システムと接続される機器から、経費精算のための複数の証明書画像が含まれる第１の画像を受信する受信手順と、
前記受信手順により受信された前記第１の画像に含まれる前記複数の証明書画像から、前記複数の証明書画像それぞれに対応する複数の第２の画像を作成する抽出手順と、
前記抽出手順により作成された前記複数の第２の画像それぞれを前記経費精算システムに登録する登録手順と、
を有する情報処理方法。
【請求項１９】
経費精算システムと接続される情報処理システムを、
前記情報処理システムと接続される機器から、経費精算のための複数の証明書画像が含まれる第１の画像を受信する受信手段、
前記受信手段により受信された前記第１の画像に含まれる前記複数の証明書画像から、前記複数の証明書画像それぞれに対応する複数の第２の画像を作成する抽出手段、
前記抽出手段により作成された前記複数の第２の画像それぞれを前記経費精算システムに登録する登録手段、
として機能させるためのプログラム。
【手続補正２】
【補正対象書類名】明細書
【補正対象項目名】発明の名称
【補正方法】変更
【補正の内容】
【発明の名称】情報処理システム、情報処理装置、情報処理方法及びプログラム
【手続補正３】
【補正対象書類名】明細書
【補正対象項目名】０００１
【補正方法】変更
【補正の内容】
【０００１】
本発明は、情報処理システム、情報処理装置、情報処理方法及びプログラムに関する。
【手続補正４】
【補正対象書類名】明細書
【補正対象項目名】０００６
【補正方法】変更
【補正の内容】
【０００６】
上記目的を達成するため、本発明の一実施形態は、経費精算システムと接続される情報処理システムであって、前記情報処理システムと接続される機器から、経費精算のための複数の証明書画像が含まれる第１の画像を受信する受信手段と、前記受信手段により受信された前記第１の画像に含まれる前記複数の証明書画像から、前記複数の証明書画像それぞれに対応する複数の第２の画像を作成する抽出手段と、前記抽出手段により作成された前記複数の第２の画像それぞれを前記経費精算システムに登録する登録手段と、を有する。